(57)【要約】【課題】無線通信を行う音声送信装置及び音声受信装置の制御と監視とを遠隔から行う音声送受信システムを提供する。【解決手段】遠隔から監視する制御卓２１１と、マスタ側制御装置２１３と、スレーブ側制御装置２１５と、音声送信装置２１７と、音声受信装置２１９と、を備えた音声送受信システム２０１であって、制御卓２１１は、マスタ側制御装置２１３及びスレーブ側制御装置２１５を介して、音声送信装置２１７及び音声受信装置２１９のそれぞれの起動制御を行う信号である起動制御信号を、音声送信装置２１７及び音声受信装置２１９のそれぞれに送信し、スレーブ側制御装置２１５及びマスタ側制御装置２１３を介して、音声送信装置２１７及び音声受信装置２１９のそれぞれの障害情報に関する信号である障害情報信号を、音声送信装置２１７及び音声受信装置２１９から受信する。【選択図】図２
2014165524.tif 000002
【特許請求の範囲】
【請求項１】
複数のチャネルに割り当てられる音声信号の入出力を行い、遠隔から監視する制御卓と、
前記制御卓に接続され、各種信号をデジタル信号で伝達する回線網であるＩＳＤＮ回線を介して、前記音声信号の送受信を行うマスタ側制御装置と、
前記マスタ側制御装置に前記ＩＳＤＮ回線を介して接続され、前記音声信号の送受信を行うスレーブ側制御装置と、
前記スレーブ側制御装置に接続され、前記音声信号に基づいた送信音声信号を無線通信で送信する音声送信装置と、
前記スレーブ側制御装置に接続され、前記音声信号に基づいた受信音声信号を無線通信で受信する音声受信装置と、
を備えた音声送受信システムであって、
前記制御卓は、
前記マスタ側制御装置及び前記スレーブ側制御装置を介して、前記音声送信装置及び前記音声受信装置のそれぞれの起動制御を行う信号である起動制御信号を、前記音声送信装置及び前記音声受信装置のそれぞれに送信し、
前記スレーブ側制御装置及び前記マスタ側制御装置を介して、前記音声送信装置及び前記音声受信装置のそれぞれの障害情報に関する信号である障害情報信号を、前記音声送信装置及び前記音声受信装置から受信する
ことを特徴とする音声送受信システム。
【請求項２】
前記マスタ側制御装置は、
前記起動制御信号と、前記送信音声信号の出力を制御する信号であるＰＴＴ信号とを前記複数のチャネルのそれぞれに対応した送信用制御信号を生成し、
前記複数のチャネルのそれぞれの前記音声信号を変換して圧縮し、送信用音声信号を生成し、
前記送信用制御信号と、前記送信用音声信号とを用いて、前記ＩＳＤＮ回線に基づいた通信フレームを形成する
ことを特徴とする請求項１に記載の音声送受信システム。
【請求項３】
前記スレーブ側制御装置は、
前記通信フレームを受信した場合、前記複数のチャネルのそれぞれに対応した前記起動制御信号を前記音声送信装置に送信し、
前記音声送信装置は、
前記起動制御信号が送信された場合、前記起動制御信号に対応した制御を行い、
前記起動制御信号に対応した制御が行えない場合、前記障害情報信号を前記スレーブ側制御装置に送信する
ことを特徴とする請求項２に記載の音声送受信システム。
【請求項４】
前記音声受信装置は、
前記受信音声信号の検知結果を示す信号であるＳＱ信号を前記スレーブ側制御装置に送信し、
前記スレーブ側制御装置は、
前記ＳＱ信号と、前記障害情報信号と、前記受信音声信号とに基づいて前記通信フレームを形成し、前記マスタ側制御装置に送信する
ことを特徴とする請求項３に記載の音声送受信システム。
【請求項５】
前記マスタ側制御装置は、
前記ＳＱ信号と、前記障害情報信号と、前記受信音声信号とを前記複数のチャネルのそれぞれに対応して分配し、前記制御卓に送信する
ことを特徴とする請求項４に記載の音声送受信システム。
【請求項６】
前記制御卓は、
前記チャネルごとに、
前記ＳＱ信号に基づいて、前記受信音声信号の有無を報知し、
前記障害情報信号に基づいて、前記音声送信装置及び前記音声受信装置の少なくとも一方の障害情報を報知し、
前記受信音声信号に基づいて、前記音声受信装置が受信した音声を出力する
ことを特徴とする請求項５に記載の音声送受信システム。
【請求項７】
前記音声送信装置は、
同一の機能を有する機器を複数備える冗長系のシステムが形成され、
少なくとも、前記冗長系の主機となる主側音声送信装置と、
少なくとも、前記冗長系の副機となる副側音声送信装置と、
を備え、
前記音声受信装置は、
少なくとも、前記冗長系の主機となる主側音声受信装置と、
少なくとも、前記冗長系の副機となる副側音声受信装置と、
を備え、
前記スレーブ側制御装置は、
前記音声送信装置の前記冗長系を切り替える第１冗長系切替部と、
前記音声受信装置の前記冗長系を切り替える第２冗長系切替部と、
を備え、
前記第１冗長系切替部は、
前記音声送信装置のうち、前記主側音声送信装置と、前記副側音声送信装置とのいずれか一方を切り替え、
前記第２冗長系切替部は、
前記音声受信装置のうち、前記主側音声受信装置と、前記副側音声受信装置とのいずれか一方を切り替える
ことを特徴とする請求項６に記載の音声送受信システム。
【発明の詳細な説明】
【技術分野】
【０００１】
本発明は、音声送受信システムに関し、特に、複数のチャネルの音声信号に関する制御情報及び監視情報を、制御卓と、音声送信装置及び音声受信装置との間で伝送することにより、音声送信装置及び音声受信装置の制御と、その制御状態の監視とを遠隔から行う音声送受信システムに関する。
【背景技術】
【０００２】
従来の音声送受信システムのうち、アナログ専用回線にて周波数多重化方式に基づいて音声通信を行うものがあった。このような従来の音声送受信システムは、音声信号と、制御信号及び監視信号等とを帯域分離することにより、各種データ伝送を実行し、音声通信を行っているものがあった（例えば、特許文献１参照）。
【０００３】
また、従来の音声送受信システムのうち、予め定めた周波数帯域において、低周波数の帯域を音声信号及び制御信号に割り当て、高周波数の帯域を接点信号の帯域に割り当てることで、円滑に音声通信を行っているものがあった（例えば、特許文献２参照）。
【０００４】
また、従来の音声送受信システムのうち、Ｂチャネルを伝送速度３２Ｋｂｐｓに２分割し、２分割したチャネルのいずれか一方又は両方をＡＤＰＣＭ（Ａｄａｐｔｉｖｅ  Ｄｉｆｆｅｒｅｎｔｉａｌ  ＰＣＭ）で符号化した音声データの通信に用いるというものがあった（例えば、特許文献３参照）。
【０００５】
また、従来の音声送受信システムのうち、伝送速度６４ＫｂｐｓのＢチャネルを２つ含むＩＳＤＮ網の伝送路において、２つのＢチャネルをそれぞれ２分割することで４つの通話チャネルを形成し、この４つの通話チャネルのそれぞれに伝送速度３２ＫｂｐｓのＡＤＰＣＭ符号に変換された信号を伝送させているものがあった（例えば、特許文献４参照）。
【０００６】
また、従来の音声送受信システムのうち、チャネルが２Ｂ＋Ｄで構成される通信路を含むＩＳＤＮ網の伝送路において、音声信号をＡＤＰＣＭで符号化したデータと、シリアルデータとを１つのフレームに多重化し、伝送させているものがあった（例えば、特許文献５参照）。
【０００７】
また、従来の音声送受信システムのうち、ＢチャネルのデータをＡＤＰＣＭで符号化することにより、２つのＢチャネルを４ビットずつに分割した状態にして合計４つのチャネルを形成し、余った４ビットの領域にＤチャネルのデータを割り当てているものがあった（例えば、特許文献６参照）。
【０００８】
また、従来の音声送受信システムにおいて、チャネル構造２Ｂ＋Ｄのうち、２つのＢチャネルを半分に分割して４チャネルを使用可能とし、音声通信の場合にはＡＤＰＣＭ符号化した伝送速度３２Ｋｂｐｓの音声信号を挿入し、ディジタルデータ通信の場合には伝送速度３２Ｋｂｐｓのディジタルデータをそのまま挿入しているものがあった（例えば、特許文献７参照）。
【０００９】
以上、従来の音声送受信システムに関する技術例について説明した。ここで、そのような従来の音声送受信システムに関する技術のうち、特に、アナログ回線による音声送信装置及び音声受信装置の遠隔制御について、図１０〜図１４を用いて説明する。
【００１０】
図１０は、従来の音声送受信システム１の概略構成の一例を示す図である。図１０に示すように、音声送受信装置１は、制御卓１１、マスタ側制御装置１３、スレーブ側制御装置１５、音声送信装置１７、および音声受信装置１９を備えている。音声送信装置１７及び音声受信装置１９のそれぞれは、後述するように、少なくとも、主側の機器と、副側の機器とを備えており、冗長系のシステム構成が形成されている。
【００１１】
制御卓１１と、マスタ側制御装置１３との間では、音声信号、制御信号、及び監視信号が伝達される。例えば、音声信号は、制御卓１１とマスタ側制御装置１３との間で送受信される。また、例えば、制御信号は、制御卓１１からマスタ側制御装置１３へ送信される。また、例えば、監視信号は、マスタ側制御装置１３から制御卓１１へ送信される。
【００１２】
マスタ側制御装置１３と、スレーブ側制御装置１５との間では、音声信号、制御信号、及び監視信号がアナログ（専用）回線５を介して伝達される。
【００１３】
スレーブ側制御装置１５と、音声送信装置１７との間では、音声信号及び制御信号が伝達される。例えば、音声信号は、スレーブ側制御装置１５から音声送信装置１７へ送信される。また、例えば、制御信号は、スレーブ側制御装置１５から音声送信装置１７へ送信される。
【００１４】
スレーブ側制御装置１５と、音声受信装置１９との間では、音声信号及び監視信号が伝達される。例えば、音声信号は、音声受信装置１９からスレーブ側制御装置１５へ送信される。また、例えば、監視信号は、音声受信装置１９からスレーブ側制御装置１５へ送信される。
【００１５】
制御卓１１は、制御卓側音声送信部２１及び制御卓側音声受信部２３を備えている。制御卓側音声送信部２１は、音声信号を送信すると共に、制御信号を送信する。一方、制御卓側音声受信部２３は、音声信号を受信すると共に、監視信号を受信する。
【００１６】
マスタ側制御装置１３は、マスタ側音声送信部３１及びマスタ側音声受信部３３を備えている。マスタ側音声送信部３１は、制御卓１１から送信された音声信号及び制御信号のそれぞれを異なる周波数帯域でアナログ（専用）回線５を介してスレーブ側制御装置１５へ送信する。一方、マスタ側音声受信部３３は、スレーブ側から送信された音声信号及び監視信号のそれぞれを周波数帯域ごとに抽出し、制御卓１１に送信する。
【００１７】
スレーブ側制御装置１５は、スレーブ側音声送信部５１及びスレーブ側音声受信部５３を備えている。スレーブ側音声送信部５１は、後述するように、スレーブ側音声受信部５３に、制御信号に基づいて、冗長系を構成している音声送信装置１７の該当する機器に対応した機器の切替指令を、スレーブ側音声受信部５３に送信する。スレーブ側音声送信部５１は、マスタ側音声送信部３１から送信された音声信号を、マスタ側音声送信部３１から送信された制御信号に基づいて、冗長系を構成している音声送信装置１７の該当する機器に送信する。スレーブ側音声受信部５３は、音声受信装置１９から送信された音声信号と、音声受信装置１９から送信された監視信号とを、アナログ（専用）回線５を介して、マスタ側音声受信部３３に送信する。
【００１８】
音声送信装置１７は、少なくとも、主側音声送信装置６１及び副側音声装置６３を備えている。主側音声装置６１は、制御信号に基づいて自機が選択された場合、無線媒体を介して、スレーブ側音声送信部５１から送信された音声信号を図示しない該当する端末等に送信する。副側音声装置６１は、主側音声装置６１と同様の機能構成を備え、冗長系のシステム構成を形成している。
【００１９】
音声受信装置１９は、少なくとも、主側音声受信装置７１及び副側音声受信装置７３を備えている。主側音声受信装置７１は、図示しない端末等から受信した音声信号と、その音声信号に対応する監視信号とを、スレーブ側音声受信部５３に送信する。
【００２０】
次に、上述した各機器の機能構成の詳細例について、図１１〜図１４を用いて説明する。図１１は、従来の音声送受信システム１のうち、制御卓１１及びマスタ側制御装置１３の音声送信に関する機能構成の一例を示す図である。図１１に示すように、制御卓側音声送信部２１は、ＰＴＴ制御スイッチ８１、送信系主／副選択スイッチ８２、受信系主／副選択スイッチ８３、及びＣＮＴ３制御スイッチ８４を備えている。
【００２１】
ＰＴＴ制御スイッチ８１は、操作された場合にＰＴＴ信号を出力する。ＰＴＴ信号は、ＯＮ状態と、ＯＦＦ状態とで形成されるプッシュ・トゥー・トーク信号であって、ＯＮ状態とＯＦＦ状態との何れか一方に論理値１が設定され、他方に論理値０が設定され、何れか一方の論理値に応じて送信音声信号を送信させるか否かを選択させるものである。
【００２２】
送信系主／副選択スイッチ８２は、操作された場合にＣＮＴ１信号を出力する。ＣＮＴ１信号は、ＯＮ状態と、ＯＦＦ状態とで形成されるコントロール信号であって、ＯＮ状態とＯＦＦ状態との何れか一方に論理値１が設定され、他方に論理値０が設定され、何れか一方の論理値に応じて主側の機器と副側の機器とを選択させるものである。
【００２３】
受信系主／副選択スイッチ８３は、操作された場合にＣＮＴ２信号を出力する。ＣＮＴ２信号は、ＯＮ状態と、ＯＦＦ状態とで形成されるコントロール信号であって、ＯＮ状態とＯＦＦ状態との何れか一方に論理値１が設定され、他方に論理値０が設定され、何れか一方の論理値に応じて主側の機器と副側の機器とを選択させるものである。
【００２４】
ＣＮＴ３制御スイッチ８４は、操作された場合にＣＮＴ３信号を出力する。ＣＮＴ３信号は、ＯＮ状態と、ＯＦＦ状態とで形成されるコントロール信号であって、ＯＮ状態とＯＦＦ状態との何れか一方に論理値１が設定され、他方に論理値０が設定されるものである。
【００２５】
マスタ側音声送信部３１は、ＬＰＦ（Ｌｏｗ  Ｐａｓｓ  Ｆｉｌｔｅｒ）９１、第１ＯＳＣ（Ｏｓｃｉｌｌａｔｏｒ）９２、第２ＯＳＣ９３、第３ＯＳＣ９４、及び第４ＯＳＣ９５等を備えている。ＬＰＦ９１は、低周波数帯域の信号、例えば、音声信号を検出し、通過させる周波数フィルターである。第１ＯＳＣ９２は、予め定めた特定の周波数Ｆｓ１の信号を発信する発信器である。第２ＯＳＣ９３は、予め定めた特定の周波数の信号Ｆｓ２を発信する発信器である。第３ＯＳＣ９４は、予め定めた特定の周波数の信号Ｆｓ３を発信する発信器である。第４ＯＳＣは、予め定めた特定の周波数の信号Ｆｓ４を発信する発信器である。
【００２６】
つまり、第１ＯＳＣ９２、第２ＯＳＣ９３、第３ＯＳ９４Ｃ、及び第４ＯＳＣ９５には、それぞれ異なる周波数の信号が発信されるように設定されている。
【００２７】
ＰＴＴ制御スイッチ８１は、操作されると、第１ＯＳＣ９２にＰＴＴ信号を送信し、第１ＯＳＣ９２は、送信されたＰＴＴ信号に対応した周波数の信号Ｆｓ１を出力する。送信系主／副選択スイッチ８２は、操作されると、第２ＯＳＣ９３にＣＮＴ１信号を送信し、第２ＯＳＣ９３は、送信されたＣＮＴ１信号に対応した周波数Ｆｓ２の信号を出力する。受信系主／副選択スイッチ８３は、操作されると、第３ＯＳＣ９４にＣＮＴ２信号を送信し、第３ＯＳＣ９４は、送信されたＣＮＴ２信号に対応した周波数Ｆｓ３の信号を出力する。ＣＮＴ３制御スイッチ８４は、操作されると、第４ＯＳＣ９５にＣＮＴ３信号を送信し、第４ＯＳＣ９５は、送信されたＣＮＴ３信号に対応した周波数Ｆｓ４の信号を出力する。ＬＰＦ９１、第１ＯＳＣ９２、第２ＯＳＣ９３、第３ＯＳＣ９４、及び第４ＯＳＣ９５のそれぞれの出力信号は、重畳されてからアナログ（専用）回線５を介してスレーブ側音声送信部５１に送信される。
【００２８】
図１２は、従来の音声送受信システム１のうち、スレーブ側制御装置１５及び音声送信装置１７の音声送信に関する機能構成の一例を示す図である。図１２に示すように、スレーブ側音声送信部５１は、ＬＰＦ９１、第１ＢＰＦ（Ｂａｎｄ  Ｐａｓｓ  Ｆｉｌｔｅｒ）１０１、第２ＢＰＦ１０２、第３ＢＰＦ１０３、第４ＢＰＦ１０４、レベル検出処理部１１１、レベル検出処理部１１２、レベル検出処理部１１３、レベル検出処理部１１４、冗長系主／副切替部１２１、及び冗長系主／副切替部１２２を備えている。
【００２９】
ＬＰＦ９１については上述したものと同様であるため、その説明については省略する。第１ＢＰＦ１０１は、予め定めた特定の範囲の周波数の信号を検出し、通過させる周波数フィルターである。第１ＢＰＦ１０１は、例えば、ＰＴＴ信号に対応した周波数の信号を検出し、通過させる。第２ＢＰＦ１０２は、予め定めた特定の範囲の周波数の信号を検出し、通過させる周波数フィルターである。第２ＢＰＦ１０２は、例えば、ＣＮＴ１信号に対応した周波数の信号を検出し、通過させる。第３ＢＰＦ１０３は、予め定めた特定の範囲の周波数の信号を検出し、通過させる周波数フィルターである。第３ＢＰＦ１０３は、例えば、ＣＮＴ２信号に対応した周波数の信号を検出し、通過させる。第４ＢＰＦ１０４は、予め定めた特定の範囲の周波数の信号を検出し、通過させる周波数フィルターである。第４ＢＰＦ１０４は、例えば、ＣＮＴ３信号に対応した周波数の信号を検出し、通過させる。
【００３０】
つまり、第１ＢＰＦ１０１、第２ＢＰＦ１０２、第３ＢＰＦ１０３、及び第４ＢＰＦ１０４には、それぞれ異なる範囲の周波数の信号が通過されるように設定されているが、特にこれに限定するものではない。
【００３１】
レベル検出処理部１１１は、予め定めた特定のレベルの信号が入力されたか否かを検出する。レベル検出処理部１１１は、例えば、ＰＴＴ信号を検出する。レベル検出処理部１１２は、予め定めた特定のレベルの信号が入力されたか否かを検出する。レベル検出処理部１１２は、例えば、ＣＮＴ１信号を検出する。レベル検出処理部１１３は、予め定めた特定のレベルの信号が入力されたか否かを検出する。レベル検出処理部１１３は、例えば、ＣＮＴ２信号を検出する。レベル検出処理部１１４は、予め定めた特定のレベルの信号が入力されたか否かを検出する。レベル検出処理部１１４は、例えば、ＣＮＴ３信号を検出する。
【００３２】
つまり、レベル検出処理部１１１、レベル検出処理部１１２、レベル検出処理部１１３、及びレベル検出処理部１１４には、それぞれ異なるレベルの信号が入力されたか否かを検出するように設定されているが、特にこれに限定するものではない。
【００３３】
冗長系主／副切替部１２１は、レベル検出処理部１１２の出力に応じて、主回路である主側音声送信装置６１をＯＮ状態にさせるか、又は、副回路である副側音声送信装置６３をＯＮ状態にさせるかを切り替える信号が出力される。
【００３４】
例えば、冗長系主／副切替部１２１は、主側音声送信装置６１をＯＮ状態にさせた場合には、ＬＰＦ９１の出力結果である音声信号を主側音声信号として主側音声送信装置６１に送信させると共に、レベル検出処理部１１１の出力結果であるＰＴＴ信号を主側ＰＴＴ信号として主側音声送信装置６１に送信させる。
【００３５】
また、例えば、冗長系主／副切替部１２１は、副側音声送信装置６３をＯＮ状態にさせた場合には、ＬＰＦ９１の出力結果である音声信号を副側音声信号として副側音声送信装置６３に送信させると共に、レベル検出処理部１１１の出力結果であるＰＴＴ信号を副側ＰＴＴ信号として副側音声送信装置６３に送信させる。
【００３６】
冗長系主／副切替部１２２は、詳細については後述するが、スレーブ側音声受信部５３と連動し、主回路である主側音声受信装置７１をＯＮ状態にさせるか、又は、スレーブ側音声受信部５３と連動し、副回路である副側音声受信装置７３をＯＮ状態にさせるかを切り替える信号が出力させる。
【００３７】
つまり、冗長系主／副切替部１２１及び冗長系主／副切替部１２２には、それぞれ異なるレベルの信号の入力に応じて、主回路をＯＮ状態にさせるか、又は、副回路をＯＮ状態にさせるかを切り替える信号が出力されるように設定されている。
【００３８】
音声送信装置１７は、主側音声送信装置６１及び副側音声送信装置６３を備えている。主側音声送信装置６１は、主側音声信号と、主側ＰＴＴ信号とが入力された場合、無線媒体を介して、送信音声信号を該当する送信先の端末に出力する。副側音声送信装置６３は、副側音声信号と、副側ＰＴＴ信号とが入力された場合、無線媒体を介して、送信信号を該当する送信先の端末に出力する。
【００３９】
なお、主側音声送信装置６１及び副側音声送信装置６３のそれぞれは、同一の機能構成を備え、冗長系のシステム構成を形成している。
【００４０】
図１３は、従来の音声送受信システム１のうち、音声受信装置１９及びスレーブ側制御装置１５の音声受信に関する機能構成の一例を示す図である。図１３に示すように、音声受信装置１９は、主側音声受信装置７１及び副側音声受信装置７３を備えている。
【００４１】
主側音声受信装置７１は、受信レベル検出部１４１を備え、無線媒体を介して受信音声信号が入力された場合、受信レベル検出部１４１が受信音声信号のレベルを検出する。受信レベル検出部１４１が検出した受信音声信号のレベルが予め設定された閾値以上であれば、主側音声受信装置７１は、主側ＳＱ信号をスレーブ側音声受信部５３に出力すると共に、主側音声信号をスレーブ側音声受信部５３に出力する。
【００４２】
副側音声受信装置７３は、受信レベル検出部１４２を備え、無線媒体を介して受信音声信号が入力された場合、受信レベル検出部１４２が受信音声信号のレベルを検出する。受信レベル検出部１４２が検出した受信音声信号のレベルが予め設定された閾値以上であれば、副側音声受信装置７３は、副側ＳＱ信号をスレーブ側音声受信部５３に出力すると共に、副側音声信号をスレーブ側音声受信部５３に出力する。
【００４３】
なお、主側音声受信装置７１及び副側音声受信装置７３のそれぞれは、同一の機能構成を備え、冗長系のシステム構成を形成している。
【００４４】
スレーブ側音声受信部５３は、ＬＰＦ９１、第１ＯＳＣ９２、第２ＯＳＣ９３、第３ＯＳＣ９４、第４ＯＳＣ９５、主／副選択状態部１３１、及び主／副選択状態部１３２を備えている。
【００４５】
ＬＰＦ９１は、冗長系主／副切替部１２２によって主回路ＯＮ信号が出力された場合、主側音声信号が入力され、低周波数の信号である主側音声信号を音声信号として通過させる。ＬＰＦ９１は、冗長系主／副切替部１２２によって副回路ＯＮ信号が出力された場合、副側音声信号が入力され、低周波数の信号である副側音声信号を音声信号として通過させる。
【００４６】
第１ＯＳＣ９２は、冗長系主／副切替部１２２によって主回路ＯＮ信号が出力された場合、主側ＳＱ信号が入力され、予め定めた特定の周波数Ｆｓ１の信号をＳＱ信号として通過させる。第１ＯＳＣ９２は、冗長系主／副切替部１２２によって副回路ＯＮ信号が出力された場合、副側ＳＱ信号が入力され、予め定めた特定の周波数Ｆｓ１の信号をＳＱ信号として発信する。
【００４７】
主／副選択状態部１３１は、冗長系主／副切替部１２２によって、主回路側をＯＮ状態にするか、又は、副回路側をＯＮ状態にするかが選択される。主／副選択状態部１３１は、主回路ＯＮ信号が入力された場合には、主側音声送信装置６１に関する監視信号ＳＶ１を第２ＯＳＣ９３に送信する。また、主／副選択状態部１３１は、副回路ＯＮ信号が入力された場合には、副側音声送信装置６３に関する監視信号ＳＶ１を第２ＯＳＣ９３に送信する。第２ＯＳＣ９３は、監視信号ＳＶ１が入力された場合には、予め定めた特定の周波数Ｆｓ２の信号を監視信号ＳＶ１として発信する。
【００４８】
主／副選択状態部１３２は、冗長系主／副切替部１２２によって、主回路側をＯＮ状態にするか、又は、副回路側をＯＮ状態にするかが選択される。主／副選択状態部１３２は、主回路ＯＮ信号が入力された場合には、主側音声受信装置７１に関する監視信号ＳＶ２を第３ＯＳＣ９４に送信する。また、主／副選択状態部１３２は、副回路ＯＮ信号が入力された場合には、副側音声受信装置７３に関する監視信号ＳＶ２を第３ＯＳＣ９４に送信する。第３ＯＳＣ９４は、監視信号ＳＶ２が入力された場合には、予め定めた特定の周波数Ｆｓ３の信号を監視信号ＳＶ２として発信する。
【００４９】
第４ＯＳＣ９５は、監視信号ＳＶ３が入力された場合には、予め定めた特定の周波数Ｆｓ４の信号を監視信号ＳＶ３として発信する。
【００５０】
ＬＰＦ９１、第１ＯＳＣ９２、第２ＯＳＣ９３、第３ＯＳＣ９４、及び第４ＯＳＣ９５のそれぞれの出力結果は、重畳されてから、アナログ（専用）回線５を介して、マスタ側制御装置１３に送信される。
【００５１】
図１４は、従来の音声送受信システム１のうち、マスタ側制御装置１３及び制御卓１１の音声受信に関する機能構成の一例を示す図である。マスタ側音声受信部３３は、ＬＰＦ９１、第１ＢＰＦ１０１、第２ＢＰＦ１０２、第３ＢＰＦ１０３、第４ＢＰＦ１０４、レベル検出処理部１１１、レベル検出処理部１１２、レベル検出処理部１１３、及びレベル検出処理部１１４を備えている。
【００５２】
ＬＰＦ９１は、制御卓側音声受信部２３に受信音声信号を出力する。第１ＢＰＦ１０１及びレベル検出処理部１１１は、制御卓側音声受信部２３に受信有／無通信信号であるＳＱ信号を出力する。第２ＢＰＦ１０２及びレベル検出処理部１１２は、制御卓側音声受信部２３に送信系主／副選択状態通知信号である監視信号ＳＶ１を出力する。第３ＢＰＦ１０３及びレベル検出処理部１１３は、制御卓側音声受信部２３に受信系主／副選択状態通知信号である監視信号ＳＶ２を出力する。第４ＢＰＦ１０４及びレベル検出処理部１１４は、制御卓側音声受信部２３に監視信号ＳＶ３を出力する。
【００５３】
なお、ＳＱ信号、監視信号ＳＶ１、監視信号ＳＶ２、及び監視信号ＳＶ３のそれぞれは、ＯＮ状態と、ＯＦＦ状態とで形成される信号であって、ＯＮ状態とＯＦＦ状態との何れか一方に論理値１が設定され、他方に論理値０が設定され、何れか一方の論理値に応じて各種報知が実行されるものである。
【００５４】
以上、アナログ回線による音声送信装置及び音声受信装置の遠隔制御例について説明した。ここで、アナログ回線での音声信号、制御信号、及び監視信号のデータ伝送について図１５を用いて説明する。図１５は、従来の音声送受信システム１における周波数多重化方式による音声信号、制御信号、及び監視信号の伝送例を説明する図である。図１５に示すように、音声信号帯域（ΔＦ１）は、低周波数の帯域、例えば、２７００Ｈｚ以下の帯域が割り当てられている。
【００５５】
これに対して、制御信号帯域及び監視信号帯域（ΔＦ２）は、音声信号帯域（ΔＦ１）よりも高い周波数の帯域、例えば、２８００Ｈｚ以上の帯域が割り当てられている。例えば、ＰＴＴ信号又はＳＱ信号には、周波数２９００Ｈｚ以上２９５０Ｈｚ未満の間の帯域が割り当てられている。ＣＮＴ１信号又は監視信号ＳＶ１には、周波数２９５０Ｈｚ以上３０００Ｈｚ未満の間の帯域が割り当てられている。ＣＮＴ２信号又は監視信号ＳＶ２には、周波数３１００Ｈｚ以上３２００Ｈｚ未満の間の帯域が割り当てられている。ＣＮＴ３信号又は監視信号ＳＶ３には、周波数３２００Ｈｚ以上３３００Ｈｚ未満の間の帯域が割り当てられている。このように、アナログ（専用）回線５を介して信号を伝達させる場合には、想定する信号に対応した周波数帯域が予め設定され、設定された周波数帯域に属する信号が検出されることで、各種通信が実現されることとなる。
【先行技術文献】
【特許文献】
【００５６】
【特許文献１】特開平８−１８５５８号公報（段落［００１７］）
【特許文献２】特開２０１０−８７７０５号公報（図４及び図８）
【特許文献３】特開平７−２０２８３４号公報（段落［０００８］）
【特許文献４】特開平７−１３１５２１号公報（段落［０００８］）
【特許文献５】特開平５−２５２３１５号公報（段落［０００６］）
【特許文献６】特開平７−１５４３８６号公報（段落［０００８］）
【特許文献７】特開平７−２４５７７４号公報（段落［００１２］）
【発明の概要】
【発明が解決しようとする課題】
【００５７】
以上で説明したように、従来の音声送受信システムにおいては、制御信号及び監視信号で使用されている帯域、例えば、図１５で示されるΔＦ２の帯域では、ビット数Ｎで分割される周波数間隔となっている。これにより、ビット数が増加するにつれ、各ビットを識別するための周波数分析処理、例えば、フィルタ処理の分析幅が小さくなる。このため、周波数分析処理にかかる負荷が大きくなる。よって、ある程度までに負荷を押さえ込まなければならず、ビット数を増加させることでより多くの制御信号及び監視信号を伝送するには限度があった。すなわち、制御信号及び監視信号の伝送に用いるビット数を十分に確保することができないため、音声送受信システムの制御及び監視を十分に行うことができなかった。
【００５８】
また、従来の音声送受信システムにおいて、例えば、アナログ回線を使用する場合には、１チャネルにつき、１回線が必要となる。よって、多チャネル化するにはコストがかかるため、実用的ではなかった。
【００５９】
また、従来の音声送受信システムにおいて、例えば、デジタル回線を使用する場合には、上記で説明したように、デジタルデータをＡＤＰＣＭ符号に変換することにより、多チャネル化を実現している。しかし、この場合においても、無線通信を行う音声送信装置及び音声受信装置の制御と監視とを遠隔から行う構成ではないという問題点があった。
【００６０】
そのため、無線通信を行う音声送信装置及び音声受信装置の制御と監視とを遠隔から行う音声送受信システムが望まれていた。
【課題を解決するための手段】
【００６１】
本発明に係る音声送受信システムは、複数のチャネルに割り当てられる音声信号の入出力を行い、遠隔から監視する制御卓と、前記制御卓に接続され、各種信号をデジタル信号で伝達する回線網であるＩＳＤＮ回線を介して、前記音声信号の送受信を行うマスタ側制御装置と、前記マスタ側制御装置に前記ＩＳＤＮ回線を介して接続され、前記音声信号の送受信を行うスレーブ側制御装置と、前記スレーブ側制御装置に接続され、前記音声信号に基づいた送信音声信号を無線通信で送信する音声送信装置と、前記スレーブ側制御装置に接続され、前記音声信号に基づいた受信音声信号を無線通信で受信する音声受信装置と、を備えた音声送受信システムであって、前記制御卓は、前記マスタ側制御装置及び前記スレーブ側制御装置を介して、前記音声送信装置及び前記音声受信装置のそれぞれの起動制御を行う信号である起動制御信号を、前記音声送信装置及び前記音声受信装置のそれぞれに送信し、前記スレーブ側制御装置及び前記マスタ側制御装置を介して、前記音声送信装置及び前記音声受信装置のそれぞれの障害情報に関する信号である障害情報信号を、前記音声送信装置及び前記音声受信装置から受信するものである。
【００６２】
また、本発明に係る音声送受信システムにおいて、前記マスタ側制御装置は、前記起動制御信号と、前記送信音声信号の出力を制御する信号であるＰＴＴ信号とを前記複数のチャネルのそれぞれに対応した送信用制御信号を生成し、前記複数のチャネルのそれぞれの前記音声信号を変換して圧縮し、送信用音声信号を生成し、前記送信用制御信号と、前記送信用音声信号とを用いて、前記ＩＳＤＮ回線に基づいた通信フレームを形成するものである。
【００６３】
また、本発明に係る音声送受信システムにおいて、前記スレーブ側制御装置は、前記通信フレームを受信した場合、前記複数のチャネルのそれぞれに対応した前記起動制御信号を前記音声送信装置に送信し、前記音声送信装置は、前記起動制御信号が送信された場合、前記起動制御信号に対応した制御を行い、前記起動制御信号に対応した制御が行えない場合、前記障害情報信号を前記スレーブ側制御装置に送信するものである。
【００６４】
また、本発明に係る音声送受信システムにおいて、前記音声受信装置は、前記受信音声信号の検知結果を示す信号であるＳＱ信号を前記スレーブ側制御装置に送信し、前記スレーブ側制御装置は、前記ＳＱ信号と、前記障害情報信号と、前記受信音声信号とに基づいて前記通信フレームを形成し、前記マスタ側制御装置に送信するものである。
【００６５】
また、本発明に係る音声送受信システムにおいて、前記マスタ側制御装置は、前記ＳＱ信号と、前記障害情報信号と、前記受信音声信号とを前記複数のチャネルのそれぞれに対応して分配し、前記制御卓に送信するものである。
【００６６】
また、本発明に係る音声送受信システムにおいて、前記制御卓は、前記チャネルごとに、前記ＳＱ信号に基づいて、前記受信音声信号の有無を報知し、前記障害情報信号に基づいて、前記音声送信装置及び前記音声受信装置の少なくとも一方の障害情報を報知し、前記受信音声信号に基づいて、前記音声受信装置が受信した音声を出力するものである。
【００６７】
また、本発明に係る音声送受信システムにおいて、前記音声送信装置は、同一の機能を有する機器を複数備える冗長系のシステムが形成され、少なくとも、前記冗長系の主機となる主側音声送信装置と、少なくとも、前記冗長系の副機となる副側音声送信装置と、を備え、前記音声受信装置は、少なくとも、前記冗長系の主機となる主側音声受信装置と、少なくとも、前記冗長系の副機となる副側音声受信装置と、を備え、前記スレーブ側制御装置は、前記音声送信装置の前記冗長系を切り替える第１冗長系切替部と、前記音声受信装置の前記冗長系を切り替える第２冗長系切替部と、を備え、前記第１冗長系切替部は、前記音声送信装置のうち、前記主側音声送信装置と、前記副側音声送信装置とのいずれか一方を切り替え、前記第２冗長系切替部は、前記音声受信装置のうち、前記主側音声受信装置と、前記副側音声受信装置とのいずれか一方を切り替えるものである。
【発明の効果】
【００６８】
本発明は、複数のチャネルの音声信号に関する制御情報及び監視情報を、制御卓と、音声送信装置及び音声受信装置との間で伝送することにより、音声送信装置及び音声受信装置の制御と、その制御状態の監視とを遠隔から行うことができるという効果を有する。
【図面の簡単な説明】
【００６９】
【図１】本発明の実施の形態１における音声送受信システム２０１の概略構成のうち、制御卓２１１、音声送信装置２１７、及び音声受信装置２１９の内部機能構成例を示す図である。
【図２】本発明の実施の形態１における音声送受信システム２０１の概略構成のうち、マスタ側制御装置２１３及びスレーブ側制御装置２１５の内部機能構成例を示す図である。
【図３】本発明の実施の形態１におけるＩＳＤＮ回線の通信に用いる信号フォーマットの一例を示す図である。
【図４】本発明の実施の形態１における制御卓２１１及びマスタ側制御装置２１３の音声送信に関する詳細な機能構成の一例を示す図である。
【図５】本発明の実施の形態１におけるスレーブ側制御装置２１５及び音声送信装置２１７の音声送信に関する詳細な機能構成の一例を示す図である。
【図６】本発明の実施の形態１におけるＣＮＴ１信号による系制御のタイミングチャートの一例を示す図である。
【図７】本発明の実施の形態１における音声受信装置２１９及びスレーブ側制御装置２１５の音声受信に関する詳細な機能構成の一例を示す図である。
【図８】本発明の実施の形態１におけるＣＮＴ５信号による系制御のタイミングチャートの一例を示す図である。
【図９】本発明の実施の形態１におけるマスタ側制御装置２１３及び制御卓２１１の音声受信に関する詳細な機能構成の一例を示す図である。
【図１０】従来の音声送受信システム１の概略構成の一例を示す図である。
【図１１】従来の音声送受信システム１のうち、制御卓１１及びマスタ側制御装置１３の音声送信に関する機能構成の一例を示す図である。
【図１２】従来の音声送受信システム１のうち、スレーブ側制御装置１５及び音声送信装置１７の音声送信に関する機能構成の一例を示す図である。
【図１３】従来の音声送受信システム１のうち、音声受信装置１９及びスレーブ側制御装置１５の音声受信に関する機能構成の一例を示す図である。
【図１４】従来の音声送受信システム１のうち、マスタ側制御装置１３及び制御卓１１の音声受信に関する機能構成の一例を示す図である。
【図１５】従来の音声送受信システム１における周波数多重化方式による音声信号、制御信号、及び監視信号の伝送例を説明する図である。
【発明を実施するための形態】
【００７０】
以下、本発明の実施の形態１について、図面を用いて詳細に説明する。
【００７１】
実施の形態１．
＜全体概要の説明＞
図１は、本発明の実施の形態１における音声送受信システム２０１の概略構成のうち、制御卓２１１、音声送信装置２１７、及び音声受信装置２１９の内部機能構成例を示す図である。本実施の形態１に係る音声送受信システム２０１は、制御卓２１１、マスタ側制御装置２１３、スレーブ側制御装置２１５、音声送信装置２１７、及び音声受信装置２１９を備え、マスタ側制御装置２１３と、スレーブ側制御装置２１５との間は、ＩＳＤＮ回線（２Ｂ＋Ｄ）７を介して接続されている。
【００７２】
本実施の形態１に係る音声送受信システム２０１は、複数のチャネルの音声信号に関する制御情報及び監視情報を、制御卓２１１と、音声送信装置２１７及び音声受信装置２１９との間で伝送することにより、音声送信装置２１７及び音声受信装置２１９の制御と、その制御状態の監視とを遠隔から行うものである。以下、発明の詳細について順に説明する。なお、本実施の形態１においては、Ｄチャネルは使用されないが、特にこれに限定するものではない。
【００７３】
＜構成の説明＞
図１に示すように、制御卓２１１は、制御卓側音声送信部２２１及び制御卓側音声受信部２２３を備えている。制御卓側音声送信部２２１は、複数のチャネル分の送信音声に関する処理を実行する。例えば、制御卓側音声送信部２２１は、ＣＨ１用制御卓側音声送信部２２４、ＣＨ２用制御卓側音声送信部２２５、及びＣＨ３用制御卓側音声送信部２２６を備えている。ＣＨ１用制御卓側音声送信部２２４は、ＣＨ１の音声送信に対応した処理を実行する。ＣＨ２用制御卓側音声送信部２２５は、ＣＨ２の音声送信に対応した処理を実行する。ＣＨ３用制御卓側音声送信部２２６は、ＣＨ３の音声送信に対応した処理を実行する。
【００７４】
なお、上記の説明では、最大３チャネル分の音声送信に関する処理が実行される一例について説明したが、特にこれに限定するものではない。１チャネル分の音声送信であってもよいし、２チャネル分の音声送信であってもよいし、４チャネル分以上の音声送信であってもよい。
【００７５】
制御卓側音声受信部２２３は、複数のチャネル分の受信音声に関する処理を実行する。例えば、制御卓側音声受信部２２３は、ＣＨ１用制御卓側音声受信部２２７、ＣＨ２用制御卓側音声受信部２２８、及びＣＨ３用制御卓側音声受信部２２９を備えている。ＣＨ１用制御卓側音声受信部２２７は、ＣＨ１の音声受信に対応した処理を実行する。ＣＨ２用制御卓側音声受信部２２８は、ＣＨ２の音声受信に対応した処理を実行する。ＣＨ３用制御卓側音声受信部２２９は、ＣＨ３の音声受信に対応した処理を実行する。
【００７６】
なお、上記の説明では、最大３チャネル分の音声受信に関する処理が実行される一例について説明したが、特にこれに限定するものではない。１チャネル分の音声受信であってもよいし、２チャネル分の音声受信であってもよいし、４チャネル分以上の音声受信であってもよい。
【００７７】
マスタ側制御装置２１３は、マスタ側音声送信部２３１及びマスタ側音声受信部２３３を備えている。スレーブ側制御装置２１５は、スレーブ側音声送信部２５１及びスレーブ側音声受信部２５３を備えている。なお、マスタ側音声送信部２３１、マスタ側音声受信部２３３、スレーブ側音声送信部２５１、及びスレーブ側音声受信部２５３の内部機能構成については後述する。
【００７８】
音声送信装置２１７は、ＣＨ１用主側音声送信装置２６１、ＣＨ１用副側音声送信装置２６２、ＣＨ２用主側音声送信装置２６３、ＣＨ２用副側音声送信装置２６４、ＣＨ３用主側音声送信装置２６５、及びＣＨ３用副側音声送信装置２６６を備えている。
【００７９】
ＣＨ１用主側音声送信装置２６１は、ＣＨ１の音声送信に対応した処理を実行する主側の機器である。ＣＨ１用副側音声送信装置２６２は、ＣＨ１の音声送信に対応した処理を実行する副側の機器である。
【００８０】
ＣＨ２用主側音声送信装置２６３は、ＣＨ２の音声送信に対応した処理を実行する主側の機器である。ＣＨ２用副側音声送信装置２６４は、ＣＨ２の音声送信に対応した処理を実行する副側の機器である。
【００８１】
ＣＨ３用主側音声送信装置２６５は、ＣＨ３の音声送信に対応した処理を実行する主側の機器である。ＣＨ３用副側音声送信装置２６６は、ＣＨ３の音声送信に対応した処理を実行する副側の機器である。
【００８２】
つまり、音声送信装置２１７は、制御卓２１１が複数のチャネル分の音声送受信処理に対応するため、それに応じた複数のチャネル分の音声送信処理が対応可能な構成となっている。また、音声送信装置２１７は、冗長系のシステム構成を形成するため、少なくとも、主側の機器と、副側の機器とが設けられている。なお、上記の説明では、主側の機器と、副側の機器との２重の冗長系のシステム構成の一例について説明したが、特にこれに限定するものではない。例えば、３重以上の冗長系のシステム構成が形成されてもよい。
【００８３】
音声受信装置２１９は、ＣＨ１用主側音声受信装置２７１、ＣＨ１用副側音声受信装置２７２、ＣＨ２用主側音声受信装置２７３、ＣＨ２用副側音声受信装置２７４、ＣＨ３用主側音声受信装置２７５、及びＣＨ３用副側音声受信装置２７６を備えている。
【００８４】
ＣＨ１用主側音声受信装置２７１は、ＣＨ１の音声受信に対応した処理を実行する主側の機器である。ＣＨ１用副側音声受信装置２７２は、ＣＨ１の音声受信に対応した処理を実行する副側の機器である。
【００８５】
ＣＨ２用主側音声受信装置２７３は、ＣＨ２の音声受信に対応した処理を実行する主側の機器である。ＣＨ２用副側音声受信装置２７４は、ＣＨ２の音声受信に対応した処理を実行する副側の機器である。
【００８６】
ＣＨ３用主側音声受信装置２７５は、ＣＨ３の音声受信に対応した処理を実行する主側の機器である。ＣＨ３用副側音声受信装置２７６は、ＣＨ３の音声受信に対応した処理を実行する副側の機器である。
【００８７】
つまり、音声受信装置２１９は、制御卓２１１が複数のチャネル分の音声送受信処理に対応するため、それに応じた複数のチャネル分の音声受信処理が対応可能な構成となっている。また、音声受信装置２１９は、冗長系のシステム構成を形成するため、少なくとも、主側の機器と、副側の機器とが設けられている。なお、上記の説明では、主側の機器と、副側の機器との２重の冗長系のシステム構成の一例について説明したが、特にこれに限定するものではない。例えば、３重以上の冗長系のシステム構成が形成されてもよい。
【００８８】
図２は、本発明の実施の形態１における音声送受信システム２０１の概略構成のうち、マスタ側制御装置２１３及びスレーブ側制御装置２１５の内部機能構成例を示す図である。図２に示すように、マスタ側制御装置２１３のマスタ側音声送信部２３１は、送信側制御信号処理部３０１、送信側音声信号処理部３０３、及びＩＳＤＮ回線ドライバ３０５を備えている。マスタ側制御装置２１３のマスタ側音声受信部２３３は、受信側制御信号処理部３５１、受信側音声信号処理部３５３、及びＩＳＤＮ回線レシーバ３５５を備えている。
【００８９】
つまり、マスタ側制御装置２１３は、送信音声系のシステム構成として、制御信号に関する処理を実行する送信側制御信号処理部３０１と、音声信号に関する処理を実行する送信側音声信号処理部３０３と、制御信号及び音声信号をＩＳＤＮ回線（２Ｂ＋Ｄ）７に送信するＩＳＤＮ回線ドライバ３０５とを備えている。また、マスタ側制御装置２１３は、受信音声系のシステム構成として、制御信号に関する処理を実行する受信側制御信号処理部３５１と、音声信号に関する処理を実行する受信側音声信号処理部３５３と、制御信号及び音声信号をＩＳＤＮ回線（２Ｂ＋Ｄ）７から受信するＩＳＤＮ回線レシーバ３５５とを備えている。
【００９０】
送信側制御信号処理部３０１は、制御信号編成部３１１を備え、制御信号編成部３１１は、詳細については後述するように、複数のチャネルのそれぞれに対応した各種制御信号を編成し、送信用制御信号を生成する。送信側音声信号処理部３０３は、ＣＯＤＥＣ部３１３、ＣＯＤＥＣ部３１４、ＣＯＤＥＣ部３１５、及びＡＤＰＣＭ（Ａｄａｐｔｉｖｅ  Ｄｉｆｆｅｒｅｎｔｉａｌ  ＰＣＭ）変換部３１６を備えている。なお、上記の説明では、３チャネル分の音声送受信処理に対応させるため、ＣＯＤＥＣ部３１３、ＣＯＤＥＣ部３１４、及びＣＯＤＥＣ部３１５が設けられる一例について説明したが、特にこれに限定するものではない。
【００９１】
受信側制御信号処理部３５１は、制御信号分配部３６１を備え、制御信号分配部３６１は、詳細については後述するように、各種制御信号を複数のチャネルのそれぞれに対応して分配する。受信側音声信号処理部３５３は、ＣＯＤＥＣ部３６３、ＣＯＤＥＣ部３６４、ＣＯＤＥＣ部３６５、及びＡＤＰＣＭ復調部３６６を備えている。なお、上記の説明では、３チャネル分の音声送受信処理に対応させるため、ＣＯＤＥＣ部３６３、ＣＯＤＥＣ部３６４、及びＣＯＤＥＣ部３６５が設けられる一例について説明したが、特にこれに限定するものではない。
【００９２】
なお、マスタ側音声送信部２３１及びマスタ側音声受信部２３３の各機能構成の詳細については後述する。
【００９３】
スレーブ側制御装置２１５のスレーブ側音声送信部２５１は、ＩＳＤＮ回線レシーバ４０１、送信側制御信号処理部４１１、及び送信側音声信号処理部４１３を備えている。送信側制御信号処理部４１１は、制御信号分配部４２１、ＣＨ１系制御部４２２、ＣＨ２系制御部４２３、及びＣＨ３系制御部４２４を備えている。送信側音声信号処理部４１３は、ＡＤＰＣＭ復調部４３１、ＣＨ１系制御部４３２、ＣＨ２系制御部４３３、ＣＨ３系制御部４３４、ＣＯＤＥＣ部４４１、ＣＯＤＥＣ部４４２、ＣＯＤＥＣ部４４３、ＣＯＤＥＣ部４４４、ＣＯＤＥＣ部４４５、及びＣＯＤＥＣ部４４６を備えている。
【００９４】
なお、上記の説明では、３チャネル分の音声送受信処理であって、少なくとも、主側の機器と、副側の機器とで構成される冗長系のシステム構成に対応させるため、ＣＯＤＥＣ部４４１、ＣＯＤＥＣ部４４２、ＣＯＤＥＣ部４４３、ＣＯＤＥＣ部４４４、ＣＯＤＥＣ部４４５、及びＣＯＤＥＣ部４４６が設けられる一例について説明したが、特にこれに限定するものではない。
【００９５】
スレーブ側制御装置２１５のスレーブ側音声受信部２５３は、ＩＳＤＮ回線ドライバ４６１、受信側制御信号処理部４７１、及び受信側音声信号処理部４７３を備えている。受信側制御信号処理部４７１は、制御信号編成部４８１、ＣＨ１系制御部４８２、ＣＨ２系制御部４８３、及びＣＨ３系制御部４８４を備えている。受信側音声信号処理部４７３は、ＡＤＰＣＭ変換部４９１、ＣＨ１系制御部４９２、ＣＨ２系制御部４９３、ＣＨ３系制御部４９４、ＣＯＤＥＣ部５０１、ＣＯＤＥＣ部５０２、ＣＯＤＥＣ部５０３、ＣＯＤＥＣ部５０４、ＣＯＤＥＣ部５０５、及びＣＯＤＥＣ部５０６を備えている。
【００９６】
なお、上記の説明では、３チャネル分の音声送受信処理であって、少なくとも、主側の機器と、副側の機器とで構成される冗長系のシステム構成に対応させるため、ＣＯＤＥＣ部５０１、ＣＯＤＥＣ部５０２、ＣＯＤＥＣ部５０３、ＣＯＤＥＣ部５０４、ＣＯＤＥＣ部５０５、及びＣＯＤＥＣ部５０６が設けられる一例について説明したが、特にこれに限定するものではない。
【００９７】
つまり、スレーブ側制御装置２１５は、送信音声系のシステム構成として、制御信号に関する処理を実行する送信側制御信号処理部４１１と、音声信号に関する処理を実行する送信側音声信号処理部４１３と、制御信号及び音声信号から構成される通信フレームをＩＳＤＮ回線（２Ｂ＋Ｄ）７から受信するＩＳＤＮ回線レシーバ４０１とを備えている。また、スレーブ側制御装置２１５は、受信音声系のシステム構成として、制御信号に関する処理を実行する受信側制御信号処理部４７１と、音声信号に関する処理を実行する受信側音声信号処理部４７３と、制御信号及び音声信号から構成される通信フレームをＩＳＤＮ回線（２Ｂ＋Ｄ）７へ送信するＩＳＤＮ回線ドライバ４６１とを備えている。
【００９８】
次に、上記で説明したＩＳＤＮ回線（２Ｂ＋Ｄ）７上を伝送される通信フレームの信号フォーマットについて図３を用いて説明する。図３は、本発明の実施の形態１におけるＩＳＤＮ回線の通信に用いる信号フォーマットとの一例を示す図である。図３に示すように、信号フォーマットは、ＩＳＤＮ回線（２Ｂ＋Ｄ）７のＢ１チャネル及びＢ２チャネルを用いて伝送されることが想定されている。
【００９９】
具体的には、Ｂ１チャネルにおいて、ｂ０ビット目には同期信号としてＦビットが付与される。Ｆビットは、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）のＸ．５０方式のフレームパターンであって、このフレームパターンにより受信側はフレーム番号を認識することが可能となっている。なお、上記の説明では、Ｆビットを同期信号に用いる一例について説明したが、各通信フレームにおいて、送信側の機器と、受信側の機器との間で同期がとれる形式であれば、特に限定するものではない。
【０１００】
また、Ｂ１チャネルにおいて、ｂ１ビット目にはＣＨ１の制御信号及び監視信号が付与される。例えば、ＰＴＴ信号、ＳＱ信号、ＣＮＴ１信号〜ＣＮＴ４信号、及び監視信号ＳＶ１〜監視信号ＳＶ４が付与される。
【０１０１】
また、Ｂ１チャネルにおいて、ｂ２ビット目にはＣＨ２の制御信号及び監視信号が付与される。例えば、ＰＴＴ信号、ＳＱ信号、ＣＮＴ１信号〜ＣＮＴ４信号、及び監視信号ＳＶ１〜監視信号ＳＶ４が付与される。
【０１０２】
また、Ｂ１チャネルにおいて、ｂ３ビット目にはＣＨ３の制御信号及び監視信号が付与される。例えば、ＰＴＴ信号、ＳＱ信号、ＣＮＴ１信号〜ＣＮＴ４信号、及び監視信号ＳＶ１〜監視信号ＳＶ４が付与される。
【０１０３】
また、Ｂ１チャネルにおいて、ｂ４ビット〜ｂ７ビットにはＣＨ１の送信音声信号がＡＤＰＣＭで符号化された信号が付与される。すなわち、ＡＤＰＣＭを用いた符号化により圧縮された分、上記で説明したような送信音声信号以外の信号、例えば、制御信号及び監視信号をＢ１チャネルに付与することができるのである。
【０１０４】
また、Ｂ２チャネルにおいて、ｂ０ビットからｂ３ビットにはＣＨ２の送信音声信号がＡＤＰＣＭで符号化された信号が付与される。また、Ｂ２チャネルにおいて、ｂ４ビットからｂ７ビットにはＣＨ３の送信音声信号が付与される。
【０１０５】
＜動作の説明＞
次に、各機能構成の詳細な説明をしながら本実施の形態１の動作例について説明する。図４は、本発明の実施の形態１における制御卓２１１及びマスタ側制御装置２１３の音声送信に関する詳細な機能構成の一例を示す図である。図４に示すように、制御卓２１１のＣＨ１用制御卓側音声送信部２２４は、音声入力部６０１、ＰＴＴ制御ＯＮ／ＯＦＦ部６１１、送信系主／副選択部６１２、主側音声送信装置起動制御部６１３、副側音声送信装置起動制御部６１４、ＣＮＴ４制御部６１５、送信系主／副選択状態表示部６１６、主側音声送信装置障害情報表示部６１７、及び副側音声送信装置障害情報表示部６１８を備えている。
【０１０６】
音声入力部６０１は、例えば、マイクロフォンで形成され、制御卓２１１に入力される音声をアナログ音声信号に変換し、送信音声信号（ＣＨ１）としてＣＯＤＥＣ部３１３に送信する。なお、音声入力部６０１の構成は上記の説明に限定するものではない。
【０１０７】
ＰＴＴ制御ＯＮ／ＯＦＦ部６１１は、ＰＴＴ（プッシュ・トゥ・トーク）信号をマスタ側音声送信部２３１の送信側制御信号処理部３０１に送信するか否かを制御する。例えば、制御卓２１１を使用する使用者によってＰＴＴ信号を入力する操作が実行された場合には、ＰＴＴ制御ＯＮ／ＯＦＦ部６１１は、送信側制御信号処理部３０１にＰＴＴ信号を送信する。なお、ＰＴＴ制御ＯＮ／ＯＦＦ部６１１がＯＮ状態となるタイミングは、音声入力部６０１から入力されるアナログ音声信号が送信側制御信号処理部３０１に送信されるときである。
【０１０８】
送信系主／副選択部６１２は、送信側の冗長系のシステム構成のうち、少なくとも、主側の機器と、副側の機器とのいずれか一方の機器を選択するコントロール信号であるＣＮＴ１信号をマスタ側音声送信部２３１の送信側制御信号処理部３０１に送信するか否かを制御する。
【０１０９】
主側音声送信装置起動制御部６１３は、例えば、ＣＨ１用主側音声送信装置２６１の起動を制御する。例えば、主側音声送信装置起動制御部６１３は、ＣＨ１用主側音声送信装置２６１を起動する場合、ＣＮＴ２信号をマスタ側音声送信部２３１の送信側制御信号処理部３０１に送信する。
【０１１０】
副側音声送信装置起動制御部６１４は、例えば、ＣＨ１用副側音声送信装置２６２の起動を制御する。例えば、副側音声送信装置起動制御部６１４は、ＣＨ１用副側音声送信装置２６２を起動する場合、ＣＮＴ３信号をマスタ側音声送信部２３１の送信側制御信号処理部３０１に送信する。
【０１１１】
ＣＮＴ４制御部６１５は、ＣＨ１用のＣＮＴ４信号をマスタ側音声送信部２３１の送信側制御信号処理部３０１に送信する。
【０１１２】
送信系主／副選択状態表示部６１６は、ＣＨ１用主側音声送信装置２６１が選択されているのか、又は、ＣＨ１用副側音声送信装置２６２が選択されているのかを報知する。例えば、送信系主／副選択状態表示部６１６は、ＣＨ１用の監視信号ＳＶ１が入力されることにより、主側の機器及び副側の機器の何れか一方が選択されているかを報知する。
【０１１３】
主側音声送信装置障害情報表示部６１７は、ＣＨ１用主側音声送信装置２６１に障害が起きているか否かを報知する。例えば、主側音声送信装置障害情報表示部６１７は、ＣＨ１用の監視信号ＳＶ２が入力されることにより、主側の機器の障害情報を報知する。
【０１１４】
副側音声送信装置障害情報表示部６１８は、ＣＨ１用副側音声送信装置２６２に障害が起きているか否かを報知する。例えば、副側音声送信装置障害情報表示部６１８は、ＣＨ１用の監視信号ＳＶ３が入力されることにより、副側の機器の障害情報を報知する。
【０１１５】
なお、ＣＨ２用制御卓側音声送信部２２５は、ＣＨ２用の送信音声信号を処理するものであるが、ＣＨ１用制御卓側音声送信部２２４と同様の機能構成であるため、その機能構成の説明については省略する。また、ＣＨ３用制御卓側音声送信部２２６は、ＣＨ３用の送信音声信号を処理するものであるが、ＣＨ１用制御卓側音声送信部２２４と同様の機能構成であるため、その機能構成の説明については省略する。
【０１１６】
送信側制御信号処理部３０１の制御信号編成部３１１には、ＣＨ１用のＰＴＴ信号、ＣＨ１用のＣＮＴ１信号、ＣＨ１用のＣＮＴ２信号、ＣＨ１用のＣＮＴ３信号、ＣＨ１用のＣＮＴ４信号、ＣＨ１用のＣＮＴ５信号〜ＣＨ１用のＣＮＴ８信号が適宜入力され、Ｂ１チャネルのｂ０ビット〜Ｂ１チャネルのｂ３ビットにそれらの各種信号の組み合わせたものが付与される。なお、ＣＨ２用及びＣＨ３用についても同様であるため、その説明については省略する。
【０１１７】
送信側音声信号処理部３０３のＣＯＤＥＣ部３１３には、アナログ音声信号である送信音声信号ＣＨ１が入力され、デジタル音声信号に変換され、ＡＤＰＣＭ変換部３１６に出力される。送信側音声信号処理部３０３のＣＯＤＥＣ部３１４には、アナログ音声信号である送信音声信号ＣＨ２が入力され、デジタル音声信号に変換され、ＡＤＰＣＭ変換部３１６に出力される。送信側音声信号処理部３０３のＣＯＤＥＣ部３１５には、アナログ音声信号である送信音声信号ＣＨ３が入力され、デジタル音声信号に変換され、ＡＤＰＣＭ変換部３１６に出力される。
【０１１８】
ＡＤＰＣＭ変換部３１６は、送信音声信号ＣＨ１をＡＤＰＣＭで符号化して圧縮したものをＢ１チャネルのｂ４ビット〜Ｂ１チャネルのｂ７ビットに付与する。ＡＤＰＣＭ変換部３１６は、送信音声信号ＣＨ２をＡＤＰＣＭで符号化して圧縮したものをＢ２チャネルのｂ０ビット〜Ｂ２チャネルのｂ３ビットに付与する。ＡＤＰＣＭ変換部３１６は、送信音声信号ＣＨ３をＡＤＰＣＭで符号化して圧縮したものをＢ２チャネルのｂ４ビット〜Ｂ２チャネルのｂ７ビットに付与する。
【０１１９】
ＩＳＤＮ回線ドライバ３０５は、Ｂ１チャネルのｂ０ビット〜Ｂ１チャネルのｂ７ビットに付与された情報と、Ｂ２チャネルのｂ０ビット〜Ｂ２チャネルのｂ７ビットに付与された情報とを、上述した通信フレームの構成に形成し、ＩＳＤＮ回線（２Ｂ＋Ｄ）７に出力する。
【０１２０】
図５は、本発明の実施の形態１におけるスレーブ側制御装置２１５及び音声送信装置２１７の音声送信に関する詳細な機能構成の一例を示す図である。ＩＳＤＮ回線レシーバ４０１は、Ｂ１チャネルのｂ０ビット〜Ｂ１チャネルのｂ３ビットに付与された情報を制御信号分配部４２１に送信する。制御信号分配部４２１は、送信された情報を、ＣＨ１系制御部４２２、ＣＨ２系制御部４２３、及びＣＨ３系制御部４２４のいずれかに送信する。
【０１２１】
例えば、ＣＨ１系制御部４２２は、冗長系切替部６５１及び切替状態部６５２を備えており、ＰＴＴ信号と、ＣＨＴ１信号とが送信された場合には、ＣＮＴ１信号に応じて、少なくとも、主側の機器及び副側の機器のいずれか一方が選択される。主側の機器が選択された場合には、ＰＴＴ信号は、主側の機器であるＣＨ１用主側音声送信装置２６１に送信される。副側の機器が選択された場合には、ＰＴＴ信号は、副側の機器であるＣＨ１用副側音声送信装置２６２に送信される。切替状態部６５２は、後述する切替状態信号ＳＶ１を出力する。また、ＣＨ１系制御部４２２は、ＣＮＴ１信号も出力する。なお、ＣＨ２系制御部４２３及びＣＨ３系制御部４２４については、ＣＨ１系制御部４２２と同様の機能構成であるため、その説明については省略する。
【０１２２】
制御信号分配部４２１は、ＣＨ１用のＣＮＴ２信号〜ＣＮＴ４信号を出力する。ＣＨ２用及びＣＨ３用についても同様である。また、制御信号分配部４２１は、受信側制御用として、ＣＨ１用のＣＮＴ５信号〜ＣＮＴ８信号を出力する。ＣＨ２用及びＣＨ３用についても同様である。
【０１２３】
ＣＨ１用主側音声送信装置２６１は、ＣＨ１系制御部４３２から主側音声信号が送信されており、ＣＨ１系制御部４２２から主側ＰＴＴ信号が送信された場合に、送信音声を出力し、無線媒体を介して図示しない送信先の端末に送信する。ＣＨ１用主側音声送信装置２６１は、起動制御用の信号として、ＣＮＴ２信号が送信され、起動の制御が実行される。ＣＨ１用主側音声送信装置２６１は、起動の制御が正常に実行されない場合、障害情報として監視信号ＳＶ２を出力する。
【０１２４】
ＣＨ１用副側音声送信装置２６２は、ＣＨ１系制御部４３２から副側音声信号が送信されており、ＣＨ１系制御部４２２から副側ＰＴＴ信号が送信された場合に、送信音声を出力し、無線媒体を介して図示しない送信先の端末に送信する。ＣＨ１用副側音声送信装置２６２は、起動制御用の信号として、ＣＮＴ３信号が送信され、起動の制御が実行される。ＣＨ１用副側音声送信装置２６２は、起動の制御が正常に実行されない場合、障害情報として監視信号ＳＶ３を出力する。
【０１２５】
なお、ＣＨ２用主側音声送信装置２６３及びＣＨ３用主側音声送信装置２６５のそれぞれの機能構成は、ＣＨ１用主側音声送信装置２６１と同様の機能構成であるため、その説明については省略する。また、ＣＨ２用副側音声送信装置２６４及びＣＨ３用副側音声送信装置２６６のそれぞれの機能構成は、ＣＨ１用副側音声送信装置２６２と同様の機能構成であるため、その説明については省略する。
【０１２６】
ＩＳＤＮ回線レシーバ４０１は、Ｂ１チャネルのｂ４ビット〜Ｂ１チャネルのｂ７ビットに付与された情報をＡＤＰＣＭ復調部４３１に送信し、ＡＤＰＣＭ復調部４３１は送信された情報を復調後、ＣＨ１の音声信号としてＣＨ１系制御部４３２に送信する。ＣＨ１系制御部４３２は、冗長系切替部６５５を備え、ＣＮＴ１信号に応じて、主側の機器及び副側の機器のいずれか一方にＣＨ１用の音声信号の出力先を切り替える。例えば、ＣＨ１系制御部４３２は、主側の機器をＣＨ１用の音声信号の出力先として切り替えた場合、ＣＯＤＥＣ部４４１に切り替えられ、副側の機器をＣＨ１用の音声信号の出力先として切り替えた場合、ＣＯＤＥＣ部４４２に切り替えられる。
【０１２７】
ＩＳＤＮ回線レシーバ４０１は、Ｂ２チャネルのｂ０ビット〜Ｂ２チャネルのｂ３ビットに付与された情報をＡＤＰＣＭ復調部４３１に送信し、ＡＤＰＣＭ復調部４３１は送信された情報を復調後、ＣＨ２の音声信号としてＣＨ２系制御部４３３に送信する。ＣＨ２系制御部４３３は、冗長系切替部６５５と同様の構成を備え、ＣＮＴ２信号に応じて、主側の機器及び副側の機器のいずれか一方にＣＨ２用の音声信号の出力先を切り替える。例えば、ＣＨ２系制御部４３３は、主側の機器をＣＨ２用の音声信号の出力先として切り替えた場合、ＣＯＤＥＣ部４４３に切り替えられ、副側の機器をＣＨ２用の音声信号の出力先として切り替えた場合、ＣＯＤＥＣ部４４４に切り替えられる。
【０１２８】
ＩＳＤＮ回線レシーバ４０１は、Ｂ２チャネルのｂ４ビット〜Ｂ２チャネルのｂ７ビットに付与された情報をＡＤＰＣＭ復調部４３１に送信し、ＡＤＰＣＭ復調部４３１は送信された情報を復調後、ＣＨ３の音声信号としてＣＨ３系制御部４３４に送信する。ＣＨ３系制御部４３４は、冗長系切替部６５５と同様の構成を備え、ＣＮＴ３信号に応じて、主側の機器及び副側の機器のいずれか一方にＣＨ３用の音声信号の出力先を切り替える。例えば、ＣＨ３系制御部４３４は、主側の機器をＣＨ３用の音声信号の出力先として切り替えた場合、ＣＯＤＥＣ部４４５に切り替えられ、副側の機器をＣＨ３用の音声信号の出力先として切り替えた場合、ＣＯＤＥＣ部４４６に切り替えられる。
【０１２９】
なお、ＩＳＤＮ回線レシーバ４０１は、ＩＳＤＮ回線ドライバ３０５とのＩＮＦＯ状態を確認することで、通信が異常であるか否かを判定する。例えば、ＩＳＤＮ回線ドライバ３０５が起動要求ＩＮＦＯ１をＩＳＤＮ回線レシーバ４０１に送信し、ＩＳＤＮ回線レシーバ４０１がフレーム同期信号ＩＮＦＯ２を返信し、ＩＳＤＮ回線ドライバ３０５がフレーム同期信号ＩＮＦＯ３を送信し、ＩＳＤＮ回線レシーバ４０１がフレーム同期確立信号ＩＮＦＯ４を送信することで、起動が完了し、通信が可能となれば異常ではないものの、通信が可能とならなければ通信は異常と判定される。この場合には、音声は制御卓２１１では無音状態で出力されることとなる。
【０１３０】
図６は、本発明の実施の形態１におけるＣＮＴ１信号による系制御のタイミングチャートの一例を示す図である。図６に示すように、切替制御信号であるＣＮＴ１信号が入力されるたびに、切替回路の選択先がサイクリックに切り替わる。例えば、ＣＮＴ１信号が入力されると、一定の遅延時間の後、副側音声送信装置及び副側音声受信装置に切り替わり、再びＣＮＴ１信号が入力されると、一定の遅延時間の後、主側音声送信装置及び主側音声受信装置に切り替わる。そして、仮に、監視信号であって、切替状態信号であるＳＶ１信号が、副側の機器の場合にＯＮ状態であって、主側の機器の場合にＯＦＦ状態であるように設定されていれば、図６に示すように、副側の機器が選択されているときには、ＳＶ１信号はＯＮ状態となっている。
【０１３１】
図７は、本発明の実施の形態１における音声受信装置２１９及びスレーブ側制御装置２１５の音声受信に関する詳細な機能構成の一例を示す図である。図７に示すように、ＣＨ１用主側音声受信装置２７１は、受信レベル検出部２８１を備え、受信レベル検出部２８１は、無線媒体を介して、図示しない送信元の端末から送信された受信音声が予め定めたレベルの信号である場合、ＳＱ信号を出力する。ＣＨ１用主側音声受信装置２７１は、起動制御用のＣＮＴ６信号が入力され、起動制御が実行される。ＣＨ１用主側音声受信装置２７１は、起動制御が正常に実行されない場合、障害情報として監視信号ＳＶ６を出力する。
【０１３２】
ＣＨ１用副側音声受信装置２７２は、受信レベル検出部２８２を備え、受信レベル検出部２８２は、無線媒体を介して、図示しない送信元の端末から送信された受信音声が予め定めたレベルの信号である場合、ＳＱ信号を出力する。ＣＨ１用副側音声受信装置２７２は、起動制御用のＣＮＴ７信号が入力され、起動制御が実行される。ＣＨ１用副側音声受信装置２７２は、起動制御が正常に実行されない場合、障害情報として監視信号ＳＶ７を出力する。
【０１３３】
なお、ＣＨ２用主側音声受信装置２７３及びＣＨ３用主側音声受信装置２７５の機能構成については、ＣＨ１用主側音声受信装置２７１と同様の機能構成であるため、その説明については省略する。また、ＣＨ２用副側音声受信装置２７４及びＣＨ３用副側音声受信装置２７６の機能構成については、ＣＨ１用副側音声受信装置２７２と同様の機能構成であるため、その説明については省略する。
【０１３４】
ＣＨ１系制御部４８２〜ＣＨ３系制御部４８４については、図５を用いて説明したＣＨ１系制御部４２２〜ＣＨ３系制御部４２４と同様の機能構成を備えるため、その説明につては省略する。また、ＣＨ１系制御部４９２〜ＣＨ３系制御部４９４については、図５を用いて説明したＣＨ１系制御部４３２〜ＣＨ３系制御部４３４と同様の機能構成を備えるため、その説明については省略する。また、ＣＯＤＥＣ部５０１〜ＣＯＤＥＣ部５０６については、図５を用いて説明したＣＯＤＥＣ部４４１〜ＣＯＤＥＣ部４４６と同様の機能構成を備えるため、その説明については省略する。
【０１３５】
ただし、図５に示すＣＨ１系制御部４２２〜４２４及びＣＨ１系制御部４３２〜４３４にはＣＮＴ１信号が入力されることにより、冗長系のシステム構成が切り替えられるのに対し、図７に示すＣＨ１系制御部４８２〜４８４及びＣＨ１系制御部４９２〜４９４にはＣＮＴ５信号が入力されることにより、冗長系のシステム構成が切り替えられる。
【０１３６】
また、図５に示すＣＨ１系制御部４２２〜４２４が主側又は副側のＰＴＴ信号を出力するのに対し、図７に示すＣＨ１系制御部４８２〜４８４は主側又は副側のＳＱ信号を出力する。
【０１３７】
なお、制御信号編成部４８１、ＡＤＰＣＭ変換部４９１、及びＩＳＤＮ回線ドライバ４６１については、上述したものと同様の機能構成を備えるため、その説明については省略する。
【０１３８】
図８は、本発明の実施の形態１におけるＣＮＴ５信号による系制御のタイミングチャートの一例を示す図である。図８に示すように、切替制御信号であるＣＮＴ５信号が入力されるたびに、切替回路の選択先がサイクリックに切り替わる。例えば、ＣＮＴ５信号が入力されると、一定の遅延時間の後、副側音声送信装置及び副側音声受信装置に切り替わり、再びＣＮＴ５信号が入力されると、一定の遅延時間の後、主側音声送信装置及び主側音声受信装置に切り替わる。そして、仮に、監視信号であって、切替状態信号であるＳＶ５信号が、副側の機器の場合にＯＮ状態であって、主側の機器の場合にＯＦＦ状態であるように設定されていれば、図８に示すように、副側の機器が選択されているときには、ＳＶ５信号はＯＮ状態となっている。
【０１３９】
図９は、本発明の実施の形態１におけるマスタ側制御装置２１３及び制御卓２１１の音声受信に関する詳細な機能構成の一例を示す図である。ＩＳＤＮ回線レシーバ３５５及び受信側音声信号処理部３５３が備えるＣＯＤＥＣ部３６３〜３６５及びＡＤＰＣＭ復調部３６６については、上述したものと同様の機能構成を備えるため、その説明については省略する。
【０１４０】
制御信号分配部３６１は、ＣＨ１に関する各種信号については、ＳＱ信号及び監視信号ＳＶ５〜ＳＶ８をＣＨ１用制御卓側音声受信部２２７に送信する。ＣＨ２及びＣＨ３のそれぞれの各種信号についても同様であるため、その説明については省略する。制御信号分配部３６１は、監視信号ＳＶ１〜ＳＶ４を各チャネル、例えば、ＣＨ１用、ＣＨ２用、及びＣＨ３用にそれぞれ出力する。
【０１４１】
ＣＨ１用制御卓側音声受信部２２７は、音声出力部７０１、受信系主／副選択部７１１、主側音声受信装置起動制御部７１２、副側音声受信装置起動制御部７１３、ＣＮＴ８制御部７１４、受信有無表示部７１５、受信系主／副選択状態表示部７１６、主側音声受信装置障害情報表示部７１７、及び副側音声受信装置障害情報表示部７１８を備えている。
【０１４２】
音声出力部７０１は、例えば、スピーカーで形成され、制御卓２１１に入力される受信音声信号（ＣＨ１）をアナログ音声信号に変換し、出力する。なお、音声出力部７０１の構成は上記の説明に限定するものではない。
【０１４３】
受信系主／副選択部７１１は、受信側の冗長系のシステム構成のうち、少なくとも、主側の機器と、副側の機器とのいずれか一方の機器を選択するコントロール信号であるＣＮＴ５信号をスレーブ側音声受信部２５３に送信するか否かを制御する。
【０１４４】
主側音声受信装置起動制御部７１２は、例えば、ＣＨ１用主側音声受信装置２７１の起動を制御する。例えば、主側音声受信装置起動制御部７１２は、ＣＨ１用主側音声受信装置２７１を起動する場合、ＣＮＴ６信号をＣＨ１用主側音声受信装置２７１に送信する。
【０１４５】
副側音声受信装置起動制御部７１３は、例えば、ＣＨ１用副側音声受信装置２７２の起動を制御する。例えば、副側音声受信装置起動制御部７１３は、ＣＨ１用副側音声受信装置２７２を起動する場合、ＣＮＴ７信号をＣＨ１用副側音声受信装置２７２に送信する。
【０１４６】
ＣＮＴ８制御部７１４は、ＣＨ１用のＣＮＴ８信号をスレーブ側制御装置２１５に送信する。
【０１４７】
受信有無表示部７１５は、ＣＨ１用のＳＱ信号が入力され、受信音声信号の受信の有無を報知する。
【０１４８】
受信系主／副選択状態表示部７１６は、ＣＨ１用主側音声受信装置２７１が選択されているのか、又は、ＣＨ１用副側音声受信装置２７２が選択されているのかを報知する。例えば、受信系主／副選択状態表示部７１６は、ＣＨ１用の監視信号ＳＶ５が入力されることにより、主側の機器及び副側の機器の何れか一方が選択されているかを報知する。
【０１４９】
主側音声受信装置障害情報表示部７１７は、ＣＨ１用主側音声受信装置２７１に障害が起きているか否かを報知する。例えば、主側音声受信装置障害情報表示部７１７は、ＣＨ１用の監視信号ＳＶ６が入力されることにより、主側の機器の障害情報を報知する。
【０１５０】
副側音声受信装置障害情報表示部７１８は、ＣＨ１用副側音声受信装置２７２に障害が起きているか否かを報知する。例えば、副側音声受信装置障害情報表示部７１８は、ＣＨ１用の監視信号ＳＶ７が入力されることにより、副側の機器の障害情報を報知する。
【０１５１】
なお、ＣＨ２用制御卓側音声受信部２２８は、ＣＨ２用の受信音声信号を処理するものであるが、ＣＨ１用制御卓側音声受信部２２７と同様の機能構成であるため、その機能構成の説明については省略する。また、ＣＨ３用制御卓側音声受信部２２９は、ＣＨ３用の受信音声信号を処理するものであるが、ＣＨ１用制御卓側音声受信部２２７と同様の機能構成であるため、その機能構成の説明については省略する。
【０１５２】
＜効果の説明＞
以上、上記で説明したように、音声送信装置２１７及び音声受信装置２１９の起動の制御を遠隔にある制御卓２１１から実行することができ、音声送信装置２１７及び音声受信装置２１９の障害情報を遠隔にある制御卓２１１で報知させることができる。また、音声送信装置２１７及び音声受信装置２１９のＳＱ信号を遠隔にある制御卓２１１で監視することができる。
【０１５３】
また、音声送信装置２１７及び音声受信装置２１９のそれぞれが冗長系のシステム構成であっても、少なくとも、主側の機器及び副側の機器のいずれか一方を遠隔にある制御卓２１１で選択することができる。
【０１５４】
したがって、音声送信装置２１７及び音声受信装置２１９の制御と、その制御状態の監視とを遠隔から行うことができる。つまり、無線媒体を介して音声信号の送受信を行う音声送信装置２１７及び音声受信装置２１９をＩＳＤＮ回線（２Ｂ＋Ｄ）７を用いることで、遠隔から制御及び監視を行うことができる。
【０１５５】
以上のように、本実施の形態１においては、複数のチャネルに割り当てられる音声信号の入出力を行い、遠隔から監視する制御卓２１１と、制御卓２１１に接続され、各種信号をデジタル信号で伝達する回線網であるＩＳＤＮ回線７を介して、音声信号の送受信を行うマスタ側制御装置２１３と、マスタ側制御装置２１３にＩＳＤＮ回線７を介して接続され、音声信号の送受信を行うスレーブ側制御装置２１５と、スレーブ側制御装置２１５に接続され、音声信号に基づいた送信音声信号を無線通信で送信する音声送信装置２１７と、スレーブ側制御装置２１５に接続され、音声信号に基づいた受信音声信号を無線通信で受信する音声受信装置２１９と、を備えた音声送受信システム２０１であって、制御卓２１１は、マスタ側制御装置２１３及びスレーブ側制御装置２１５を介して、音声送信装置２１７及び音声受信装置２１９のそれぞれの起動制御を行う信号である起動制御信号を、音声送信装置２１７及び音声受信装置２１９のそれぞれに送信し、スレーブ側制御装置２１５及びマスタ側制御装置２１３を介して、音声送信装置２１７及び音声受信装置２１９のそれぞれの障害情報に関する信号である障害情報信号を、音声送信装置２１７及び音声受信装置２１９から受信することにより、音声送信装置２１７及び音声受信装置２１９の制御と、その制御状態の監視とを遠隔から行うことができる。
【符号の説明】
【０１５６】
１、２０１  音声送受信システム、５  アナログ（専用）回線、７  ＩＳＤＮ回線、１１、２１１  制御卓、１３、２１３  マスタ側制御装置、１５、２１５  スレーブ側制御装置、１７、２１７  音声送信装置、１９、２１９  音声受信装置、２１、２２１  制御卓側音声送信部、２３、２２３  制御卓側音声受信部、２２４  ＣＨ１用制御卓側音声送信部、２２５  ＣＨ２用制御卓側音声送信部、２２６  ＣＨ３用制御卓側音声送信部、２２７  ＣＨ１用制御卓側音声受信部、２２８  ＣＨ２用制御卓側音声受信部、２２９  ＣＨ３用制御卓側音声受信部、３１、２３１  マスタ側音声送信部、３３、２３３  マスタ側音声受信部、５１、２５１  スレーブ側音声送信部、５３、２５３  スレーブ側音声受信部、６１  主側音声送信装置、６３  副側音声送信装置、７１  主側音声受信装置、７３  副側音声受信装置、８１  ＰＴＴ制御スイッチ、８２  送信系主／副選択スイッチ、８３  受信系主／副選択スイッチ、８４  ＣＮＴ３制御スイッチ、９１  ＬＰＦ、９２  第１ＯＳＣ、９３  第２ＯＳＣ、９４  第３ＯＳＣ、９５  第４ＯＳＣ、１０１  第１ＢＰＦ、１０２  第２ＢＰＦ、１０３  第３ＢＰＦ、１０４  第４ＢＰＦ、１１１、１１２、１１３、１１４  レベル検出処理部、１２１、１２２  冗長系主／副切換部、１３１、１３２  主／副選択状態部、１４１、１４２  受信レベル検出部、２６１  ＣＨ１用主側音声送信装置、２６２  ＣＨ１用副側音声送信装置、２６３  ＣＨ２用主側音声送信装置、２６４  ＣＨ２用副側音声送信装置、２６５  ＣＨ３用主側音声送信装置、２６６  ＣＨ３用副側音声送信装置、２７１  ＣＨ１用主側音声受信装置、２７２  ＣＨ１用副側音声受信装置、２７３  ＣＨ２用主側音声受信装置、２７４  ＣＨ２用副側音声受信装置、２７５  ＣＨ３用主側音声受信装置、２７６  ＣＨ３用副側音声受信装置、２８１〜２８６  受信レベル検出部、３０１、４１１  送信側制御信号処理部、３５１、４７１  受信側制御信号処理部、３０３、４１３  送信側音声信号処理部、３５３、４７３  受信側音声信号処理部、３０５、４６１  ＩＳＤＮ回線ドライバ、３１１、４８１  制御信号編成部、３６１、４２１  制御信号分配部、３１３〜３１５、３６３〜３６５、４４１〜４４６、５０１〜５０６  ＣＯＤＥＣ部、３１６、４９１  ＡＤＰＣＭ変換部、３６６、４３１  ＡＤＰＣＭ復調部、３５５、４０１  ＩＳＤＮ回線レシーバ、４１１  送信側制御信号処理部、４２１  制御信号分配部、４２２、４３２、４８２、４９２  ＣＨ１系制御部、４２３、４３３、４８３、４９３  ＣＨ２系制御部、４２４、４３４、４８４、４９４  ＣＨ３系制御部、６０１  音声入力部、６１１  ＰＴＴ制御ＯＮ／ＯＦＦ部、６１２  送信系主／副選択部、６１３  主側送信装置起動制御部、６１４  副側送信装置起動制御部、６１５  ＣＮＴ４制御部、６１６  送信系主／副選択状態表示部、６１７  主側音声送信装置障害情報表示部、６１８  副側音声送信装置障害情報表示部、６５１、６５５、６６１、６６５  冗長系切替部、６５２、６６２  切替状態部、７０１  音声出力部、７１１  受信系主／副選択部、７１２  主側音声受信装置起動制御部、７１３  副側音声受信装置起動制御部、７１４  ＣＮＴ８制御部、７１５  受信有無表示部、７１６  受信系主／副選択状態表示部、７１７  主側音声受信装置障害情報表示部、７１８  副側音声受信装置障害情報表示部。
【図１】
2014165524.tif 000003
【図２】
2014165524.tif 000004
【図３】
2014165524.tif 000005
【図４】
2014165524.tif 000006
【図５】
2014165524.tif 000007
【図６】
2014165524.tif 000008
【図７】
2014165524.tif 000009
【図８】
2014165524.tif 000010
【図９】
2014165524.tif 000011
【図１０】
2014165524.tif 000012
【図１１】
2014165524.tif 000013
【図１２】
2014165524.tif 000014
【図１３】
2014165524.tif 000015
【図１４】
2014165524.tif 000016
【図１５】
2014165524.tif 000017